(57)【要約】【課題】周波数のズレが無く、且つ、周波数の調整が確実で、容易な衛星放送受信用コンバータを提供する。【解決手段】本発明の衛星放送受信用コンバータは、上面に誘電体共振器３を取り付けた回路基板２と、誘電体共振器３の外周を覆うように回路基板２に取り付けられた箱形の金属ケース４と、回路基板２の下面に配置され、回路基板２を取り付ける枠体１とを備え、枠体１には、回路基板２を介して誘電体共振器３の底面３ａと対向する凹部１ｂが設けられ、凹部１ｂの開口部は、誘電体共振器３の底面３ａよりも大きく、誘電体共振器３の底面３ａの全体が開口部の上方に位置したため、誘電体共振器３の底面３ａと凹部１ｂの底部１ｅとの間の間隔を大きくでき、従って、振動や衝撃等が加わっても、周波数のズレや飛びの無いものが得られる。【選択図】        図２
2004312623.tif 000002
【特許請求の範囲】
【請求項１】
上面に誘電体共振器を取り付けた回路基板と、前記誘電体共振器の外周を覆うように前記回路基板に取り付けられた箱形の金属ケースと、前記回路基板の下面に配置され、前記回路基板を取り付ける枠体とを備え、前記枠体には、前記回路基板を介して前記誘電体共振器の底面と対向する凹部が設けられ、前記凹部の開口部は、前記誘電体共振器の底面よりも大きく、前記誘電体共振器の底面の全体が前記開口部の上方に位置したことを特徴とする衛星放送受信用コンバータ。
【請求項２】
前記凹部の外周部は、前記金属ケースの下端部よりも外側に位置する外壁と、この外壁から前記金属ケースの下端部の下方まで延びる凸部を有することを特徴とする請求項１記載の衛星放送受信用コンバータ。
【請求項３】
前記金属ケースは、変形可能な上壁と、この上壁に繋がり、前記回路基板に取り付けられる側壁を有し、前記上壁は、前記誘電体共振器との間隔を変えるために変形可能で、前記上壁の変形動作時における前記金属ケースの下方への押圧時、前記金属ケースの下端部の下部に位置する前記回路基板が前記凸部に当接可能としたことを特徴とする請求項２記載の衛星放送受信用コンバータ。
【請求項４】
前記凹部は四角状をなし、前記凸部が前記凹部の角部、又は／及び前記角部から離れた位置に設けられたことを特徴とする請求項２、又は３記載の衛星放送受信用コンバータ。
【発明の詳細な説明】
【０００１】
【発明の属する技術分野】
本発明は衛星放送を受信するための衛星放送受信用コンバータに関する。
【０００２】
【従来の技術】
従来の誘電体共振器を用いた電圧制御発振器の構成を図５に基づいて説明すると、金属材からなる筺体５１は、底壁５１ａと、この底壁５１の四方から上方に延びる４つの側壁５１ｂと、底壁５１ａに設けられた凹部５１ｃを有する。
【０００３】
プリント基板からなる回路基板５２には、上面に配線パターン（図示せず）が設けられると共に、誘電体共振器５３の端子５４が配線パターンに半田付けされて取り付けられる。
【０００４】
そして、回路基板５２に取り付けられた誘電体共振器５３は、回路基板５２の孔（図示せず）を貫通して下方に突出した状態となっており、このような回路基板５２は、誘電体共振器５３を凹部５１ｃ内に位置した状態で、底壁５１ａに載置して取り付けられる。
【０００５】
また、蓋体５５が筺体５１の上部に取り付けられ、この蓋体５５によって、筺体５１の上部の開放部を塞ぐことによって、電圧制御発振器が構成されている。（例えば、特許文献１参照）
【０００６】
しかし、従来の誘電体共振器を用いた電圧制御発振器においては、誘電体共振器５３が凹部５１ｃ内に位置すると共に、誘電体共振器５３の底面５３ａが凹部５１ｃの底部５１ｄと近接した状態となっている。
【０００７】
このため、振動や衝撃等が加わると、誘電体共振器５３の底面５３ａと凹部５１ｃの底部５１ｄとが近接状態であるため、周波数の変動（ズレ）を生じるばかりか、外部環境の変化による回路基板５２の膨張、収縮によって、回路基板５２に取り付けられた誘電体共振器５３の位置が変動し、周波数の変動（ズレ）を生じるものであった。
【０００８】
【特許文献１】
実公平７−４１２０７号公報
【０００９】
【発明が解決しようとする課題】
従来の誘電体共振器を用いた電圧制御発振器は、誘電体共振器５３が凹部５１ｃ内に位置すると共に、誘電体共振器５３の底面５３ａが凹部５１ｃの底部５１ｄと近接した状態となっているため、振動や衝撃等が加わると、誘電体共振器５３の底面５３ａと凹部５１ｃの底部５１ｄとが近接状態であるため、周波数の変動（ズレ）を生じるばかりか、外部環境の変化による回路基板５２の膨張、収縮によって、回路基板５２に取り付けられた誘電体共振器５３の位置が変動し、周波数の変動（ズレ）を生じるという問題がある。
【００１０】
そこで、本発明は周波数のズレが無く、且つ、周波数の調整が確実で、容易な衛星放送受信用コンバータを提供することを目的とする。
【００１１】
【課題を解決するための手段】
上記課題を解決するための第１の解決手段として、上面に誘電体共振器を取り付けた回路基板と、前記誘電体共振器の外周を覆うように前記回路基板に取り付けられた箱形の金属ケースと、前記回路基板の下面に配置され、前記回路基板を取り付ける枠体とを備え、前記枠体には、前記回路基板を介して前記誘電体共振器の底面と対向する凹部が設けられ、前記凹部の開口部は、前記誘電体共振器の底面よりも大きく、前記誘電体共振器の底面の全体が前記開口部の上方に位置した構成とした。
【００１２】
また、第２の解決手段として、前記凹部の外周部は、前記金属ケースの下端部よりも外側に位置する外壁と、この外壁から前記金属ケースの下端部の下方まで延びる凸部を有する構成とした。
【００１３】
また、第３の解決手段として、前記金属ケースは、変形可能な上壁と、この上壁に繋がり、前記回路基板に取り付けられる側壁を有し、前記上壁は、前記誘電体共振器との間隔を変えるために変形可能で、前記上壁の変形動作時における前記金属ケースの下方への押圧時、前記金属ケースの下端部の下部に位置する前記回路基板が前記凸部に当接可能とした構成とした。
また、第４の解決手段として、前記凹部は四角状をなし、前記凸部が前記凹部の角部、又は／及び前記角部から離れた位置に設けられた構成とした。
【００１４】
【発明の実施の形態】
本発明の衛星放送受信用コンバータの図面を説明すると、図１は本発明の衛星放送受信用コンバータの要部の平面図、図２は図１の２−２線における断面図、図３は本発明の衛星放送受信用コンバータに係り、凹部の状態を示す枠体の要部の平面図、図４は本発明の衛星放送受信用コンバータの他の実施例に係り、凹部の状態を示す枠体の要部の平面図である。
【００１５】
次に、本発明の衛星放送受信用コンバータの構成を図１〜図３に基づいて説明すると、筺体を構成する亜鉛ダイキャスト等からなる枠体１は、内部に設けられ、外壁１ａを有する略四角状の凹部１ｂと、この凹部１ａの角部（４角）に設けられ、外壁１ａから中央部に向かって延びる凸部１ｃを有する。
そして、この凸部１ｃは、凹部１ｂの深さと同じ高さを有し、枠体１の内壁面１ｄと面一状態となっている。
【００１６】
プリント基板からなる回路基板２は、ここでは図示しないが、上面に配線パターンが設けられると共に、上面に種々の電子部品が搭載されて、所望の電気回路が形成されると共に、下面にアースパターンが設けられている。
【００１７】
誘電体からなる直方体状の誘電体共振器３は、その底面３ａが回路基板１の上面に載置された状態で、接着剤等（図示せず）によって回路基板１の上面に取り付けられている。
【００１８】
金属板からなる箱形の金属ケース４は、複数個の孔４ａを有する四角状の上壁４ｂと、この上壁４ｂの四方から下方に延びる４個の側壁４ｃを有し、この金属ケース４は、内部に誘電体共振器３を位置させて、誘電体共振器３の外周を覆った状態で、側壁４ｃの下端部を回路基板２上に載置し、下端部が配線パターンに半田付けされて、回路基板２に取り付けられている。
【００１９】
この金属ケース４が回路基板２に取り付けられた際、上壁４ｂは、誘電体共振器３の上面３ｂとある程度の間隔を持った状態で、上面３ｂに略平行な状態となっていると共に、この上壁４ｂは、誘電体共振器３の上面３ｂとの間の間隔を変えて周波数の調整を行うために、変形可能となっている。
【００２０】
誘電体共振器３と金属ケース４を取り付けた回路基板２は、枠体１の内壁面１ｄ上に載置され、ネジ等の固定手段５によって、枠体１に取り付けられる。
そして、枠体１に回路基板２が取り付けられた際、凹部１ｂの開口部は、回路基板２を介して誘電体共振器３の底面３ａと対向すると共に、凹部１ｂの開口部は、誘電体共振器３の底面３ａよりも大きく、誘電体共振器３の底面３ａの全体が開口部の上方に位置した状態となっている。
【００２１】
即ち、誘電体共振器３の底面３ａ全体の下部には、凹部１ｂの開口部（空洞部）が位置して、誘電体共振器３の底面３ａと凹部１ｂの底部１ｅとの間の間隔が大きくなっている。
【００２２】
また、枠体１に回路基板２が取り付けられた際、凹部１ｂの外壁１ａは、金属ケース４の下端部よりも外側に位置して、外壁１ａと誘電体共振器３の底面３ａとの間の間隔を大きくしていると共に、凸部１ｃは、誘電体共振器３の底面３ａの下部に至らない状態で、金属ケース４の下端部の下部まで延びた状態となっている。
【００２３】
このような構成によって本発明の衛星放送受信用コンバータが形成されており、周波数の調整を行うには、治具（図示せず）を金属ケース４の上壁４ｂに当てて、上壁４ｂが治具によって図２の矢印Ａ方向に変形される。
【００２４】
すると、上壁４ｂと誘電体共振器３の上面３ｂとの間の間隔が変えられて、周波数の調整が行われると共に、上壁４ｂが治具で下方に押圧された際、側壁４ｃの下部に位置する回路基板２が凸部１ｃに当接して、回路基板２、誘電体共振器３，及び金属ケース４の下方への移動が阻止される。
【００２５】
従って、誘電体共振器３の底面３ａと凹部１ｂの底部１ｅとの間の間隔が大きい状態が維持されると共に、例え、回路基板２が下方に僅かに移動しても、誘電体共振器３の底面３ａと凹部１ｂの底部１ｅとの間の間隔は、大きい状態が維持されているので、周波数の調整後、金属ケース４の押圧動作を解除しても、周波数のズレや飛びが生じない。
【００２６】
即ち、誘電体共振器３の外周部と凹部１ｂの壁面との間の間隔は、大きな状態となっているので、周波数の調整後における周波数のズレや飛びが生じない。
また、振動や衝撃等が加わっても、周波数のズレや飛びが生じることが無く、更に、外部環境の変化によって回路基板２が膨張、収縮しても、誘電体共振器３の外周部と凹部１ｂの壁面との間の間隔は、大きな状態となっているので、周波数のズレや飛びが生じない。
【００２７】
また、図４は本発明の衛星放送受信用コンバータの他の実施例を示し、この実施例は、凹部１ｂに設けられた凸部１ｃが凹部１ｂの角部から離れた位置に４個（複数個）設けられたものである。
その他の構成は、前記実施例と同様であるので、同一部品に同一番号を付し、ここではその説明を省略する。
【００２８】
なお、上記実施例では、誘電体共振器３が直方体状のもので説明したが、誘電体共振器３は立方体状や円柱状等でも良く、また、凹部１ｂは、円形状等で形成しても良い。
【００２９】
【発明の効果】
本発明の衛星放送受信用コンバータは、上面に誘電体共振器を取り付けた回路基板と、誘電体共振器の外周を覆うように回路基板に取り付けられた箱形の金属ケースと、回路基板の下面に配置され、回路基板を取り付ける枠体とを備え、枠体には、回路基板を介して誘電体共振器の底面と対向する凹部が設けられ、凹部の開口部は、誘電体共振器の底面よりも大きく、誘電体共振器の底面の全体が開口部の上方に位置したため、誘電体共振器の底面と凹部の底部との間の間隔を大きくでき、従って、振動や衝撃等が加わっても、周波数のズレや飛びの無いものが得られる。
また、周波数の調整後に金属ケースの押圧動作を解除しても、周波数のズレや飛びの無いものが得られると共に、調整が確実で、容易である。
更に、外部環境の変化によって回路基板が膨張、収縮しても、誘電体共振器の底面と凹部の底部との間の間隔は、大きな状態となっているので、周波数のズレや飛びの生じないものが得られる。
【００３０】
また、凹部の外周部は、金属ケースの下端部よりも外側に位置する外壁と、この外壁から金属ケースの下端部の下方まで延びる凸部を有するため、凸部で回路基板の下方への動きを規制でき、従って、誘電体共振器の底面と凹部の底部との間の間隔が大きな状態で維持できるため、振動や衝撃、周波数の調整、及び回路基板の膨張、収縮において、周波数のズレや飛びの一層、生じないものが得られる。
【００３１】
また、金属ケースは、変形可能な上壁と、この上壁に繋がり、回路基板に取り付けられる側壁を有し、上壁は、誘電体共振器との間隔を変えるために変形可能で、上壁の変形動作時における金属ケースの下方への押圧時、金属ケースの下端部の下部に位置する回路基板が凸部に当接可能としたため、周波周の調整時において、凸部で回路基板の下方への動きを規制でき、周波数の調整後、金属ケースの押圧動作を解除しても、周波数のズレや飛びの生じないものが得られると共に、調整が確実で、容易なものが提供できる。
【００３２】
また、凹部は四角状をなし、凸部が凹部の角部、又は／及び角部から離れた位置に設けられたため、凸部の形成が容易で、生産性の良いものが得られる。
【図面の簡単な説明】
【図１】本発明の衛星放送受信用コンバータの要部の平面図。
【図２】図１の２−２線における断面図。
【図３】本発明の衛星放送受信用コンバータに係り、凹部の状態を示す枠体の要部の平面図。
【図４】本発明の衛星放送受信用コンバータの他の実施例に係り、凹部の状態を示す枠体の要部の平面図。
【図５】従来の誘電体共振器を用いた電圧制御発振器の要部断面図。
【符号の説明】
１  枠体
１ａ  外壁
１ｂ  凹部
１ｃ  凸部
１ｄ  内壁面
１ｅ  底部
２  回路基板
３  誘電体共振器
３ａ  底面
３ｂ  上面
４  金属ケース
４ａ  孔
４ｂ  上壁
４ｃ  側壁
５  固定手段
【図１】
2004312623.tif 000003
【図２】
2004312623.tif 000004
【図３】
2004312623.tif 000005
【図４】
2004312623.tif 000006
【図５】
2004312623.tif 000007